(57)【要約】【課題】給湯量や現地配管の影響を受けずに、実際の水温を正確に検知することができる貯湯式給湯機を提供する。【解決手段】貯湯式給湯機１は、加熱手段２と、貯湯装置３と、制御装置４とを備える。貯湯装置３は、加熱手段２によって加熱された水を所定のタンク３１に貯える。制御装置４は、加熱手段２と貯湯装置３とを運転制御する。制御装置４は、タンク３１に補充される水の温度を検知する水温センサ４１と、タンク３１に補充される水の流量を検知する給湯水量センサ４２ａ，お湯はり水量センサ４２ｂとを有する。さらに、制御装置４は、水温センサ４１の設置場所である給水分岐管７２ｂの水が所定量以上且つ所定時間以上流れたことを、給湯水量センサ４２ａ，お湯はり水量センサ４２ｂによって検知した後に、水の温度を検知する。【選択図】図２
2007285654.tif 000002
【特許請求の範囲】
【請求項１】
加熱手段（２）によって加熱された水を所定のタンク（３１）に貯える貯湯装置（３）と、
前記加熱手段（２）と前記貯湯装置（３）とを運転制御する制御装置（４）と、
を備え、
前記制御装置（４）は、前記タンク（３１）に補充される水の温度を検知する水温検知手段（４１）と、前記タンク（３１）に補充される水の流量を検知する流量検知手段（４２）とを有し、
前記制御装置（４）は、前記水温検知手段（４１）の設置場所の水が流れたことを、前記流量検知手段（４２）によって検知した後に、前記水の温度を検知する、
貯湯式給湯機（１）。
【請求項２】
前記制御装置（４）は、前記水温検知手段（４１）の設置場所の水が、所定量以上且つ所定時間以上流れた後に、前記水の温度を検出する、
請求項１に記載の貯湯式給湯機（１）。
【請求項３】
前記水温検知手段（４１）の設置場所は、前記タンク（３１）から離れている、
請求項１に記載の貯湯式給湯装置（１）。
【請求項４】
前記貯湯装置（３）は、前記タンク（３１）内から供給される湯と、前記タンク（３１）に補充される水と同じ水供給源から引かれる水と、を混合する混合栓（７３，７４）を有し、
前記水温検知手段（４１）は、前記水供給源から前記混合栓（７３，７４）に向かう配管（７２）あるいは前記水供給源から前記タンク（３１）に向かう配管（７２ｂ）に設置されている、
請求項１に記載の貯湯式給湯装置（１）。
【請求項５】
前記制御装置（４）は、検知された前記水の温度を記憶し、その後検知される前記水の温度が前記記憶された水の温度よりも低い場合は、前記低い水の温度へ更新する、
請求項１に記載の貯湯式給湯機（１）。
【請求項６】
前記水の温度は、定期的に初期化される、
請求項５に記載の貯湯式給湯器（１）。
【発明の詳細な説明】
【技術分野】
【０００１】
本発明は、自動で湯を沸かしタンクに貯蔵する貯湯式給湯機に関する。
【背景技術】
【０００２】
従来、貯湯式給湯機のタンクに補充される水の温度は、タンク底部に設置された水温センサを用いて検出するもの（例えば、特許文献１参照）や、給水配管の途中に設置された水温センサを用いて検出するもの（例えば、特許文献２参照）があった。
【特許文献１】特開２００４−１３８２９９号公報
【特許文献２】特開平５−１１８５７２号公報。
【発明の開示】
【発明が解決しようとする課題】
【０００３】
しかしながら、特許文献１の貯湯式給湯機では、湯の使用量が少ないときには、設置した水温センサ付近まで水が補充されず、タンク内の湯の温度を検知することがある。そのため、実際の水温より高い温度を検知し、給湯温度制御で温度が不安定になり、沸き上げ制御において沸き上げ湯量が必要以上に少なくなる可能性がある。
さらに、特許文献２の貯湯式給湯機では、実際の水温ではなく給水配管内に滞留している水の温度を検知する可能性があり、特許文献１の場合と同じように、給湯温度制御で温度が不安定になり、沸き上げ制御において沸き上げ湯量が必要以上に少なくなる可能性がある。
【０００４】
本発明の課題は、給湯量や現地配管の影響を受けずに、実際の水温を正確に検知することができる貯湯式給湯機を提供することにある。
【課題を解決するための手段】
【０００５】
第１発明に係る貯湯式給湯機は、加熱手段と、貯湯装置と、制御装置とを備える。貯湯装置は、加熱手段によって加熱された水を所定のタンクに貯える。制御装置は、加熱手段と貯湯装置とを運転制御する。制御装置は、タンクに補充される水の温度を検知する水温検知手段と、タンクに補充される水の流量を検知する流量検知手段とを有する。さらに、制御装置は、水温検知手段の設置場所の水が流れたことを、流量検知手段によって検知した後に、水の温度を検知する。
この貯湯式給湯機では、水が配管内に滞留している間に水温が実際の水温からずれている場合を想定して、水が流れたことを確認してから水温が検知される。このため、正確な水温が検知され、給湯温度が安定する。
【０００６】
第２発明に係る貯湯式給湯機は、第１発明に係る貯湯式給湯機であって、水温検知手段の設置場所の水が、所定量以上且つ所定時間以上流れた後に、水の温度が検出される。
この貯湯式給湯機では、水が配管内に滞留している間に水温が実際の水温からずれている場合を想定して、滞留していた水が完全に移動してから水温が検知される。このため、正確な水温が検知され、給湯温度が安定する。
【０００７】
第３発明に係る貯湯式給湯機は、第１発明に係る貯湯式給湯機であって、水温検知手段の設置場所が、タンクから離れている。
この貯湯式給湯機では、水温検知手段がタンク内の湯温の影響を受けない。このため、正確な水温が検知され、給湯温度が安定する。
【０００８】
第４発明に係る貯湯式給湯機は、第１発明に係る貯湯式給湯機であって、貯湯装置は、混合栓を有する。混合栓は、タンク内から供給される湯と、タンクに補充される水と同じ水供給源から引かれる水とを混合する。水温検知手段は、混合栓に向かう配管あるいはタンクに向かう配管に設置されている。
この貯湯式給湯機では、水温検知手段が水供給源から引かれた配管に設置され、タンクの湯温の影響を受けない。このため、正確な水温が検知され、給湯温度が安定する。
【０００９】
第５発明に係る貯湯式給湯機は、第１発明に係る貯湯式給湯機であって、制御装置が、検知された水の温度を記憶し、その後検知される水の温度が記憶された水の温度よりも低い場合は、低い水の温度へ更新する。
この貯湯式給湯機では、水の温度が、常に実際の温度へと更新される。このため、正確な水温が検知され、給湯温度が安定する。
【００１０】
第６発明に係る貯湯式給湯機は、第５発明に係る貯湯式給湯機であって、水の温度は、定期的に初期化される。
この貯湯式給湯機では、水の温度が、常に実際の温度へと更新される。このため、正確な水温が検知され、給湯温度が安定する。
【発明の効果】
【００１１】
第１発明と第２発明に係る貯湯式給湯機では、水が配管内に滞留している間に水温が実際の水温からずれている場合を想定して、水が流れたことを確認してから水温が検知される。このため、正確な水温が検知され、給湯温度が安定する。
第３発明と第４発明に係る貯湯式給湯機では、水温検知手段がタンク内の湯温の影響を受けない。このため、正確な水温が検知され、給湯温度が安定する。
【００１２】
第５発明と第６発明に係る貯湯式給湯機では、水の温度が、常に実際の温度へと更新される。このため、正確な水温が検知され、給湯温度が安定する。
【発明を実施するための最良の形態】
【００１３】
＜貯湯式給湯器の構成＞
本実施形態に係る貯湯式給湯機の概略構成図を図１に示す。貯湯式給湯機１は、ヒートポンプユニット（加熱手段）２と貯湯装置３とによって構成されている。ヒートポンプユニット２は、マフラー２１ａ、圧縮機２１、水熱交換器２２内の冷媒管２２ａ、減圧手段としての膨張弁２３、及び空気熱交換器２４が、冷媒配管２５によって環状に接続された圧縮式の冷凍回路２０を有する。
【００１４】
また、冷凍回路２０には、水熱交換器２２から出る高圧高温の冷媒と、空気熱交換器２４から出る低圧低温の冷媒との間で熱交換を行うため、液ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
貯湯装置３は、貯湯タンク３１、水熱交換器２２内の水管２２ｂ及び水循環ポンプ３２が、水循環配管３５によって環状に接続された水循環回路３０を有する。制御装置４は、ヒートポンプユニット２と貯湯装置３を運転制御する。
【００１５】
＜貯湯装置＞
図２は、本実施形態に係る貯湯式給湯機の貯湯装置と負荷とを連絡する配管の回路図である。なお、ここで述べる負荷とは、給湯と風呂を指す。給湯管７１は、タンク３１の頭部と給湯混合弁７３とを連絡する。給湯管７１は給湯分岐管７１ａ，７１ｂを有しており、給湯分岐管７１ａは、給水管７１とお湯はり混合弁７４とを連絡し、給湯分岐管７１ｂは、給水管７１と逃し弁７５を連絡している。
【００１６】
給水管７２は、水供給源と給湯混合弁７３を連絡する。給水管７２は、給水分岐管７２ａ、７２ｂを有しており、給水分岐管７２ａは、給水管７２とお湯はり混合弁７４とを連絡し、給水分岐管７２ｂは、給水管７２とタンク３１の底部とを連絡している。なお、給水分岐管７２ａと給水分岐管７２ｂとの上流には減圧逆止弁７６が接続されている。また、給水分岐管７２ｂのタンク３１から離れた位置には、水温センサ４１が設けられており、水温センサ４１が、タンク３１から温度影響を受けないように配慮されている。
【００１７】
湯循環配管７７は、タンク３１の頭部とタンク３１の底部を連絡しており、途中には追焚熱交換器７８と循環ポンプ７９が接続されている。
第２給湯管８１は、給湯混合弁７３と給湯口８２とを連絡し、途中に給湯水量センサ４２ａが配置されている。第３給湯管８３は、お湯はり混合弁７４と風呂水循環配管９１とを連絡しており、途中に複合水弁８４が配置されている。複合水弁８４は、お湯はり電磁弁８４ａと、排水弁８４ｂと、お湯はり水量センサ４２ｂとで構成されている。
【００１８】
風呂水循環配管９１は、浴槽９２から出て浴槽９２に戻り、途中に風呂水循環ポンプ９３が接続されている。なお、追焚熱交換器７８において、風呂水循環配管９１と湯循環配管７７との間で熱交換が行われる。
タンク３１の側壁には、頭部から底部へ向かい一定間隔をおいて残湯量検知手段４４としての温度センサ４４ａ〜４４ｅが設けられている。タンク３１の各高さ位置の湯温を温度センサ４４ａ〜４４ｅで検知することによって湯の温度と残湯量が算出される。
【００１９】
＜制御装置＞
図３は、制御装置４のブロック図である。ここでは、概略の構成について説明し、各部の詳細については、後半で随時説明する。
制御装置４は、制御部６、水温センサ（水温検知手段）４１、流量検知手段４２としての給湯水量センサ４２ａ，お湯はり水量センサ４２ｂ、残湯量検知手段としての温度センサ４４ａ〜４４ｅ、沸き増しレベル選択手段４３、エコ停止設定手段（一時停止設定手段）４５およびリモコン（遠隔操作手段）４６を有している。なお、沸き増し設定手段４３とエコ停止設定手段４５とは、リモコン４６上に設けられている。
【００２０】
リモコン４６は、表示部４６ａと、給湯温度選定ボタン４６ｂと、湯量設定ボタン４６ｃと、沸き増し設定ボタン４６ｄと、エコ停止設定ボタン４６ｅとを有する。
制御部６は、ＣＰＵやメモリなどから成り、沸き増しレベル選択手段４３を操作するときに必要な選択範囲４３ａが記憶されている。また、選択範囲４３ａは、沸き増しレベル選択肢Ａ１〜Ａ５（図６参照）と満タン選択肢Ａ６〜Ａ８（図６参照）とを含んでいる。
【００２１】
また、制御部６には、おまかせモード（全自動モード）６ａ、非おまかせモード（半自動モード）６ｂがプログラムされており、おまかせモード６ａに対応する第１自動沸き上げ機能６０ａ、非おまかせモード６ｂに対応する第２自動沸き上げ機能６０ｂもプログラムされている。
（おまかせモードと非おまかせモード）
本実施形態では、過去の時間帯別の給湯実績を学習して湯量を設定し自動で湯を沸き上げるおまかせモード（全自動モード）６ａ、湯量を使用者に設定させて自動で湯を沸き上げる非おまかせモード（半自動モード）６ｂが予めプログラムされている。制御装置４に電源が投入され、使用者による設定がない場合は、おまかせモード６ａが自動的に選択され、使用者の操作によって湯量を多めに設定した場合などは、非おまかせモード６ｂとなる。
【００２２】
（自動沸き上げ機能）
いずれにせよ、おまかせモードと非おまかせモードとには、湯を自動で沸き上げるための自動沸き上げ機能６０が搭載されており、おまかせモード６ａには第１自動沸き上げ機能６０ａが搭載され、非おまかせモード６ｂに対応する第２自動沸き上げ機能６０ｂが搭載されている。
【００２３】
（水温検知制御）
給湯混合弁７３、お湯はり混合弁７４の弁開度は、湯温と水温とに基づいて決定されており、例えば、水温が高い場合は、弁開度は水側へ大きくひらくことになる。このため、水温が正しく検知されなければ使用者が求める温度の湯を提供することができない。本実施形態では、水温センサ４１は、タンク３１から温度影響を受けないようにタンク３１から離れた給水管７２或いは給水分岐管７２ｂに設置されている。さらに、滞留している水の温度を採用しないように、水温センサ４１が設置されている場所の水が所定量以上且つ所定時間以上流れたことが確認された後に検知された値を水温として採用している。
【００２４】
本実施形態では、水温センサ４１は、給水分岐管７２ｂに設置されており、給水分岐管７２ｂ内の水の流れは、第２給湯管８１に接続されている給湯水量センサ４２ａと、第３給湯管８３に接続されているお湯はり水量センサ４２ｂとによって間接的に検知される。タンク３１から湯が出ていくと、タンク３１に水が補充されるので、給湯水量センサ４２ａと、お湯はり水量センサ４２ｂとによって検知される水量は、タンク３１に補充される水量とみなすことができる。
また、検知された水温は、制御部６に記憶され、現在記憶されている水温よりも低い水温が検知された場合は、低いほうの水温へ更新するようにしている。なお、制御部６に記憶される水温のデータは、所定時刻になると初期化される。本実施形態では、午前５時に水温のデータを初期化している。
【００２５】
＜リモコンの構成＞
使用者は、リモコン４６によって、給湯温度、湯量およびその他の条件を設定することができる。図４は、本実施形態に係る貯湯式給湯機１のリモコンの正面図である。リモコン４６は、表示部４６ａ、給湯温度設定ボタン４６ｂ、湯量設定ボタン４６ｃ、沸き増し設定ボタン４６ｄおよびエコ停止設定ボタン４６ｅなど各種設定ボタンを有している。表示部４６ａには、給湯温度、残湯量および設定されている条件などが表示される。たとえば図４では、給湯温度は４２℃、残湯量は最大の５レベルであることを表示している。沸き増し設定ボタン４６ｄと、エコ停止設定ボタン４６ｅについては後半で随時説明する。
【００２６】
（沸き増し設定）
使用者がタンク内の湯量を増やしたいときは、リモコン４６の沸き増し設定ボタン４６ｄを押すことによって、５段階の沸き増しレベルと、３段階の満タンを選択できる。図５は、本実施形態に係る貯湯式給湯機の沸き増し設定時のリモコンの正面図であり、図６は、沸き増し設定時の選択範囲を表した説明図である。
【００２７】
図６に示すように、残湯量が０レベルのとき、使用者は、沸き増しレベルを、沸き増し[＋１]〜沸き増し[＋５]の５個（Ａ１〜Ａ５）、満タン[６時間]、満タン[１２時間]および満タン[２４時間]の３個（Ａ６〜Ａ８）の合計８個の選択肢を持つ選択範囲４３ａから選択できる。したがって、使用者は、沸き増し設定ボタン４６ｄを８回押すことができ、９回押すと設定が解除される。例えば図５を参照すると、リモコン４６の沸き増し設定ボタン４６ｄを１回押すと、表示部４６ａに「沸き増し[１]」のように選択したレベルが表示され、その上方に「シャワー：＋約１００Ｌ」のように目安６ｃが表示される。これは、沸き増し[１]を選択すると、シャワーで約１００Ｌ使用できることを使用者に知らせ、使用者がこれで不十分と感じれば、さらに沸き増し設定ボタンを押して、沸き増しレベルを上げることができる。
【００２８】
なお、残湯量は、タンク３１に残っている４５℃〜８５℃のお湯の量であり、実際に使用する際には、水と混合して給湯される。したがって、使用者にとっては、残湯量を見るよりも、実際に使用する温度での給湯量を見るほうが分かりやすい。したがって、目安６ｃは、「シャワー：＋約１００Ｌ」以外にも、「シャワー：＋１５分」、「ふろ湯はり：約２００Ｌ／回」など使用者にわかりやすい表現が良い。
【００２９】
次に、残湯量が２レベルのときの、沸き増し設定について図７を参照しながら説明する。図７は、沸き増し設定時の設定方法を表した説明図であり、残湯量が２レベルのときの設定と解除の順序を示している。使用者は、沸き増し[＋１]〜沸き増し[＋３]の３個（Ａ１〜Ａ３）と、満タン[６時間]、満タン[１２時間]および満タン[２４時間]の３個（Ａ６〜Ａ８）の合計６個の選択肢を持つ選択範囲４３ａから選択できる（図６参照）。したがって、使用者は、沸き増し設定ボタン４６ｄを６回押すことができ、７回押すと設定が解除される。
【００３０】
一方、残湯量が５レベルで、残湯量が十分にあるときは、使用者は、満タン[６時間]、満タン[１２時間]および満タン[２４時間]の３個（Ａ６〜Ａ８）の選択肢を持つ選択範囲４３ａから選択できる（図６参照）。したがって、使用者は、沸き増し設定ボタン４６ｄを３回押すことができ、４回押すと解除される。例えば、沸き増し設定ボタン４６ｄを２回押して満タン[１２時間]を選択すると、タンク３１内の湯量は、１２時間満タン状態が維持され、使用により湯量が減った場合には、直ちに沸き上げ運転となり、満タンになるまで運転が続く。
【００３１】
（エコ停止設定）
使用者が、リモコン４６に表示されている残湯量を見て、その残湯量で深夜時間帯開始時まで賄えると判断した場合は、エコ停止設定ボタン４６ｅを押すことによって、自動沸き上げ機能６０を深夜時間帯開始時まで停止させ、不要な沸き上げを防止することができる。なお、本実施形態の深夜時間帯開始は、２３時である。なお、本実施形態では、エコ停止設定ボタン４６ｅを押し、自動沸き上げ機能６０を深夜時間帯開始時まで停止させることを、「エコ停止」と呼ぶ。
【００３２】
使用者がエコ停止設定ボタン４６ｅを押したときに、タンク３１内の残湯量に基づいて、所定温度での使用可能な給湯量を算出し、リモコン４６の表示部４６ａへ表示する。そしてその下方に、エコ停止設定ボタン４６ｅを押した時点から深夜時間帯開始時までに使用すると予測される給湯量予測値を表示する。なお、給湯量予測値については後半で説明する。
【００３３】
例えば図８を参照しながら説明すると、使用者が午後４時にエコ停止設定ボタン４６ｅを押すと、そのときの残湯量が最大（表示５レベル）であったとすれば、表示部４６ａには、４２℃のシャワーで約３００Ｌの給湯できることを示唆する目安６ｃが表示され、続いて、午後４時から午後１１時までの７時間に４２℃のシャワーで約２５０Ｌ給湯する可能性があることを示唆する目安６ｃが表示される。そして、使用者がエコ停止設定を解除しなければ、図８（ｂ）のようにエコ停止設定の開始時間である午後４時を表示する。
【００３４】
逆に、図８（ｃ）のように残湯量が表示２レベルであったとすれば、表示部４６ａには、４２℃のシャワーで約１５０Ｌの給湯できることを示唆する目安６ｃが表示され、その下方に、午後４時から午後１１時までの７時間に４２℃のシャワーで約２５０Ｌ給湯する可能性があることを示唆する目安６ｃが表示される。このとき、給湯量予測値が、使用可能な給湯量を上回るので、使用者に対し、湯が不足する可能性があることを報知し、エコ停止設定の解除を促す。
【００３５】
（給湯量予測値）
本実施形態では、制御部６に過去の時間帯別の給湯実績を記憶しており、この給湯実績に基づいて、昼間の任意の時点から深夜時間帯開始時までに必要とされる給湯量を予測することができる。なお、過去の時間帯別の給湯実績は、熱量単位（ｋｃａｌ）で記憶されており、必要に応じて所定温度での給湯量（Ｌ）に換算される。
【００３６】
図９は、制御部６に記憶されている、過去７日間の午前７時から翌朝６時までの時間帯別給湯量実績とそれから予測される時間帯別給湯量予測値を示すデータ群のイメージ図である。例えば、１６時（午後４時）にエコ停止設定ボタンが押されると、制御部６はデータ群に基づき、エコ停止設定１６時から深夜時間帯開始の２３時（午後１１時）までの時間帯別給湯量予測値を合算し、給湯可能量と比較する。
【００３７】
図１０（ａ）は、給湯可能量が給湯量予測値を上回る場合の比較グラフであり、図１０（ｂ）は、給湯可能量が給湯量予測値を下回る場合の比較グラフである。本実施形態では、図１０（ａ）のように給湯可能量が給湯量予測値を上回る場合は、表示部４６ａに給湯可能量と給湯量予測値を表示するだけであるが、図１０（ｂ）のように給湯可能量が給湯量予測値を下回る場合は、表示部４６ａに給湯可能量と給湯量予測値を表示すると同時に使用者へ「お湯が足りなくなります。エコ停止を解除してください。」の警告を出す。
【００３８】
（時刻設定）
本実施形態は、時刻の設定と記録を行う時刻機能を有しているが、長時間停電等によって電源供給が停止されると、時刻の記録ができなくなり、リセットされる。時刻がリセットされた状態では、自動沸き上げ機能に不都合をきたすため、長時間停電によるリセットがあった場合に備えて時刻設定ナビ機能がプログラムされている。
【００３９】
この時刻設定ナビ機能は、時刻がリセットされた後に電源が供給されると、リモコン４６の表示部４６ａ上の表示が、時刻が未設定であることをユーザーへ知らせる。また、リモコン４６の全ての設定ボタンに対して操作が無効となり、設定ボタンの操作を行うと時刻の設定が必要であることを音声で知らせ、時刻を設定するための時刻設定モードへ強制的に移行する。これによって、時刻がリセットされた場合でも、使用者は取扱説明書を確認することなく、リモコン４６の指示に従って設定するだけでよく、操作ミスや操作忘れが回避される。
【００４０】
＜特徴＞
（１）
この貯湯式給湯機１は、加熱手段２と、貯湯装置３と、制御装置４とを備える。貯湯装置３は、加熱手段２によって加熱された水を所定のタンク３１に貯える。制御装置４は、加熱手段２と貯湯装置３とを運転制御する。制御装置４は、タンク３１に補充される水の温度を検知する水温センサ４１と、タンク３１に補充される水の流量を検知する給湯水量センサ４２ａ，お湯はり水量センサ４２ｂとを有する。さらに、制御装置４は、水温センサ４１の設置場所である給水分岐管７２ｂの水が所定量以上且つ所定時間以上流れたことを、給湯水量センサ４２ａ，お湯はり水量センサ４２ｂによって検知した後に、水の温度を検知する。このため、水温センサ４１がタンク３１内の湯温の影響を受けない。また、水が配管内に滞留している間に水温が実際の水温からずれている場合でも、配管内の滞留水を移動させてから水温を検知するので、正確な水温が検知され、給湯温度が安定する。
【００４１】
（２）
この貯湯式給湯機１では、制御装置４が、検知された水の温度を記憶し、その後検知される水の温度が記憶された水の温度よりも低い場合は、低い水の温度へ更新する。さらに、水の温度は定期的に初期化される。このため、検知した水温が、実際の水温からずれることはなく、正確な水温が検知され、給湯温度が安定する。
【産業上の利用可能性】
【００４２】
以上のように本発明によれば、給湯温度が安定するので、自動で湯を沸かしタンクに貯蔵する貯湯式給湯機に有用である。
【図面の簡単な説明】
【００４３】
【図１】本実施形態に係る貯湯式給湯機の概略構成図。
【図２】同貯湯式給湯機の貯湯装置と負荷とを連絡する配管の回路図。
【図３】同貯湯式給湯機の制御装置のブロック図。
【図４】同貯湯式給湯機のリモコンの正面図である。
【図５】同貯湯式給湯機の沸き増し設定時のリモコンの正面図。
【図６】沸き増し設定時の選択範囲を表した説明図。
【図７】沸き増し設定時の設定方法を表した説明図。
【図８】（ａ）本実施形態に係る貯湯式給湯機のエコ停止設定時のリモコンの正面図。        （ｂ）エコ停止設定時のリモコンの表示部の表示例。        （ｃ）エコ停止設定時のリモコンの表示部の表示例。
【図９】制御部に記憶されている、過去の時間帯別給湯量実績とそれから予測される時間帯別給湯量予測値を示すデータ群のイメージ図。
【図１０】（ａ）給湯可能量が給湯量予測値を上回る場合の比較グラフ。          （ｂ）給湯可能量が給湯量予測値を下回る場合の比較グラフ。
【符号の説明】
【００４４】
１  貯湯式給湯機
２  ヒートポンプユニット（加熱手段）
３  貯湯装置
４  制御装置
３１  タンク
４１  水温センサ（水温検知手段）
４２ａ  給湯水量センサ（流量検知手段）
４２ｂ  お湯はり水量センサ（流量検知手段）
７２  給水管（配管）
７２ｂ給水分岐管（配管）
７３  給湯混合栓
７４  お湯はり混合栓
【図１】
2007285654.tif 000003
【図２】
2007285654.tif 000004
【図３】
2007285654.tif 000005
【図４】
2007285654.tif 000006
【図５】
2007285654.tif 000007
【図６】
2007285654.tif 000008
【図７】
2007285654.tif 000009
【図８】
2007285654.tif 000010
【図９】
2007285654.tif 000011
【図１０】
2007285654.tif 000012